(57)【要約】【課題】  人力で遺体を搬送するものであって、安全に且つ搬送者の負担を可及的に少なくした遺体袋の提供。【解決手段】  平面方形の本体布２の両側縁にジッパー１が設けられ、それを閉じることにより細長い筒状に形成され、本体布２の長手方向両端に一対の端部閉塞布３が突設される。本体布２の外面には中心線から幅方向の両中間位置に、互いに長手方向に離間して複数対の搬送用取手４が配置されている。【選択図】        図４
0003126269.tif 000002
【実用新案登録請求の範囲】
【請求項１】
両側縁にジッパー(1) が設けられ、それを閉じることにより細長い筒状に形成される平面矩形の本体布(2) と、
その本体布(2) の長手方向両端に突出して設けられた一対の端部閉塞布(3) と、
本体布(2) の外面で、その中心線から幅方向の両中間位置に取付られ、互いに長手方向に離間して配置された複数対の搬送用取手(4) と、を具備する遺体袋。
【請求項２】
請求項１において、
前記一対の端部閉塞布(3) が本体布(2) の長手方向両端の中間部のみに突出して設けられた遺体袋。
【請求項３】
請求項１または請求項２において、
その本体布(2) の内面側で、その中心線から幅方向の両中間位置に、本体布(2) の両側に沿って一対の側部堰布(5) が立ち上げられた遺体袋。
【請求項４】
請求項１〜請求項３のいずれかにおいて、
前記本体布(2) の内面に矩形の内布(6) が重ねられる遺体袋。
【請求項５】
請求項４において、
内布(6) の外面と本体布(2) の内面との間が面ファスナ(7) で着脱自在に接続される遺体袋。
【考案の詳細な説明】
【技術分野】
【０００１】
本考案は、主として事故や遭難等により亡くなった遺体を搬送する遺体袋であって、搬送者の負担を可及的に少なくするものに関する。
【背景技術】
【０００２】
事故や遭難等で亡くなられた遺体を搬送するには、通常、担架の上に遺体を載せ、複数人でそれを支持して、車両の駐車位置まで搬送し、車両によって適宜場所に搬送する。
【考案の開示】
【考案が解決しようとする課題】
【０００３】
従来の搬送方法は、特に遭難において足場が悪いことが多く、傾斜地の担架上の遺体は不安定になる。それと共に、担架が持ちにくく搬送者の負担が重い。さらには、遺体から体液等が漏れ出し、或いは悪臭を放ち、搬送者の苦痛は並大抵ではない。
そこで本考案は、これらの場合にも搬送し易く且つ、搬送者の負担を可及的に少なくした遺体袋を提供することを課題とする。
【課題を解決するための手段】
【０００４】
本考案の遺体袋は、平面矩形の本体布２と、その両側の一対の端部閉塞布３と、本体２の外面に設けた複数対の搬送用取手４とを具備する。
本体布２は、両側縁にジッパー１が設けられ、それを閉じることにより細長い筒状に形成されるものである。
各端部閉塞布３は、本体布２の長手方向両端に突出して設けられたものである。
各搬送用取手４は、本体布２の外面で、その中心線から幅方向の両中間位置に取付られ、互いに長手方向に離間して配置されたものである。
【０００５】
上記構成において、
一対の端部閉塞布３を、本体布２の長手方向両端の中間部のみに突出することができる。
上記構成において、
その本体布２の内面側で、その中心線から幅方向の両中間位置に、本体布２の両側に沿って一対の側部堰布５を立ち上げることができる。
【０００６】
上記構成において、
前記本体布２の内面に矩形の内布６を重ねることができる。
上記構成において、
内布６の外面と本体布２の内面との間を面ファスナ７で着脱自在に接続することができる。
【考案の効果】
【０００７】
本考案の遺体袋は、本体布２内に遺体を収納した状態で、ジッパー１を閉じて細長い筒状に形成すると共に、その長手方向両端に設けられた端部閉塞布３によって両端部を閉塞し、その状態で複数対の搬送用取手４により安全に遺体を搬送することができる。即ち、遺体の搬送が容易で、足場の悪い傾斜した搬送路等においても遺体が袋から抜け出ることがない。しかも、取扱い易く且つ迅速に遺体を内部に収納することができる。
【０００８】
上記構成において、端部閉塞布３を本体布２の長手方向両端の中間部のみに突出した場合には、その端部閉塞布３を遺体の両端部に被せることが容易で、遺体の保護を迅速に行える。
上記構成において、本体布２の中心線から幅方向の両中間位置の内面側に、本体布２の両側に沿って一対の側部堰布５を立ち上げた場合には、遺体から流出する体液等を、効果的にせき止め、それが外部に漏れ出ることを防止できる。
【０００９】
上記構成において、本体布２の内面に矩形の内布６を重ねて設けた場合には、それによって遺体全体を一旦包んだ後に、その外周をさらに本体布２と端部閉塞布３で筒状に被蔽することができ、二重の被蔽により、遺体から発する体液の漏れや匂いの発散を可及的に少なくし得る。それにより遺体搬送者の負担を軽くすることができる。
上記構成において、内布６の外面と本体布２の内面との間を面ファスナ７で着脱自在に接続した場合には、内布６を含んで全体を一体として保管搬送することができる。また、内布６と本体布２を一体にした状態で、遺体を先ず内布６に包み、その状態で全体を両端閉塞の筒状に迅速に、被蔽することが容易となる。
【考案を実施するための最良の形態】
【００１０】
次に、図面に基づいて本考案の実施の形態につき説明する。
図１は本考案の遺体袋の斜視略図であって、内布６と本体布２とを分離した状態を示す。また、図２は本体布２の背面側を示す斜視図であり、図３は遺体を収納する第１段階を示す説明的斜視図であり、図４はその最終の収納状態を示す斜視図である。また、図５は収納状態における遺体の頭部８の近傍の縦断面説明図であり、図６は同遺体の胴部９における横断面説明図である。
この遺体袋は図１に示す如く、本体布２と内布６とからなる。本体布２及び内布６は共に、防水加工等により防水性を有する布又は適宜なシート材からなり、それらは通常の布としての柔軟性を有する。本体布２は平面矩形で、その幅方向の両縁部にジッパー１が設けられている。このジッパー１は、両縁部を閉じることにより全体が細長い筒状に形成されるものである。
【００１１】
この例ではダブルスライドジッパーが設けられ、長手方向の一端と、他端に夫々スライド10の始点が存在する。そして、ジッパー１は本体布２の両側に一対づつ設けられ、各ジッパー１の両端には端金具11が存在する。
次に、本体布２の長手方向両端中央位置には、一対の端部閉塞布３が突設形成されている。さらに本体布２の裏面側には、複数対の搬送用取手４が設けられいる。即ち、図２において強度が強く丈夫で、ある程度の剛性を有する布からなる帯状材を細長い環状に形成し、その両端を除いて帯状材を本体布２に縫着したものである。そしてその帯状材の両端が、リング状となり搬送用取手４を構成する。このようにすることにより、遺体の体重が帯状材全体に加わり、本体布２の一部に荷重が集中して加わらないようにしている。
【００１２】
次に、本体布２の内面の中心線上および、内布６の中心線上の外面には互いに整合する位置に、対となる面ファスナ７が縫着されている。各対の面ファスナ７の一方は多数のフック部が植設された係止布であり、他方はそのフック部を係止する多数の係止環が植設された、商品名マジックテープ（登録商標）である。面ファスナ７は、この例では所定間隔に三つ設けられている。
また、本体布２の中心線から幅方向両中間位置には、本体布２の両側に沿って一対の側部堰布５が立ち上げられている。即ち、側部堰布５の一方の縁部が本体布２に縫着されている。この側部堰布５及び端部閉塞布３の材質は、本体布２と同一のものが好ましい。
次に内布６は、その幅が本体布２の全幅と同一又はそれより広く且つ、その長さは本体布２の長さよりも長いものが好ましい。
【００１３】
（作用）
次に、本考案の遺体袋の使用方法につき述べる。
先ず、図１において内布６の面ファスナ７と本体布２の面ファスナ７とを係止した状態でそれらを展開する。
そして内布６上に遺体を載置し、図３に示す如くその両側部を遺体に被せると共に、長手方向両端を折り重ねて遺体全体を包む。次いで、端部閉塞布３を遺体の両端部に被せ、本体布２の両側をその上から被せる。そして夫々のジッパー１のスライド10をスライドさせて、本体布２の両側間を閉じ、図４の如くする。これにより遺体は少なくとも二重に包まれる。この状態で遺体の両側部には側部堰布５が設けられ、内布６から体液が流出しても端部閉塞布３や側部堰布５により外部への漏れを防ぐ。さらには端部閉塞布３の存在により、足場の悪い傾斜地等であっても、遺体が遺体袋の長手方向に抜け出ることを防止できる。図４においては取手が４人〜８人分存在し、多数人によって一つの遺体を容易に搬送することができる。
【００１４】
（変形例）
上記の実施例において、簡易的には内布６を省略することもできる。例えば、遺体の損傷がなく死亡直後の場合や、まだ息のある人を搬送する場合などには、内布６を省略することも可能である。
上記の例では、端部閉塞布３を本体布２の中間部のみに設けたが、端部閉塞布３の幅を本体布２の全幅とすることも可能である。
さらには側部堰布５の幅を図示のものよりさらに長くすることもできる。
【図面の簡単な説明】
【００１５】
【図１】本考案の遺体袋の斜視説明図であって、内布６を本体布２から分離した状態を示す。
【図２】同遺体袋の裏面側を示す斜視略図。
【図３】同遺体袋の使用説明図であって、その収納の途中を示す。
【００１６】
【図４】同遺体袋の使用説明図であって、収納状態を示す。
【図５】同遺体袋の収納状態の遺体の頭部８の近傍における縦断面略図。
【図６】同遺体袋の胴部９における横断面略図。
【符号の説明】
【００１７】
１  ジッパー
1a  ジッパープル
２  本体布
３  端部閉塞布
４  搬送用取手
５  側部堰布
【００１８】
６  内布
７  面ファスナ
８  頭部
９  胴部
10  スライド
11  端金具
【図１】
0003126269.tif 000003
【図２】
0003126269.tif 000004
【図３】
0003126269.tif 000005
【図４】
0003126269.tif 000006
【図５】
0003126269.tif 000007
【図６】
0003126269.tif 000008